(57)【要約】【課題】分離されたテーブルの相対変位を吸収し、平面度や同一平面度を確実に保持でき、かつ組み付け性もよい分離テーブルの連結具を提供する。【解決手段】連結具１は軸体１ａの細軸部３Ａ，３Ｂをテーブル１００Ａ，テーブル１００Ｂの取付面４，８にそれぞれ挿入し、球面座金１１を前後に配設して固持される。ダブルの球面座金１１の存在によりテーブル１００Ａとテーブル１００Ｂ間の相対ズレが緩和され、テーブル精度を保持することができる。【選択図】図１
2010174974.tif 000002
【特許請求の範囲】
【請求項１】
隙間を介して分離された平板状のテーブル間を連結するための連結具であって、該連結具は、軸体と、該軸体と夫々のテーブルとの連結部位に設けられる可撓座金とを設けるものからなることを特徴とする分離テーブルの連結具。
【請求項２】
前記可撓座金が、球面座金であることを特徴とする請求項１に記載の分離テーブルの連結具。
【請求項３】
前記球面座金が、前記軸体と前記テーブルの連結部位の前後に配設され、前記球面座金の取付位置には前記球面座金の着脱を可能とする空間部が形成されることを特徴とする請求項２に記載の分離テーブルの連結具。
【請求項４】
前記軸体の前記可撓座金に挿入されていない部位に縮寸部が形成されることを特徴とする請求項１乃至３のいずれかに記載の分離テーブルの連結具。
【発明の詳細な説明】
【技術分野】
【０００１】
本発明は、長尺のため隙間を介して分離された平板状のテーブル間を連結する連結具に係り、特に相互のテーブルの位置ズレを吸収してテーブルの平面度を保持し得る吸収手段を設けた分離テーブルの連結具に関する。
【背景技術】
【０００２】
図４に示すように、加工物２００を水平方向に移動させるためには加工物２００を搭載するテーブル１００が通常使用され、このテーブル１００は移動機構部３００によりガイドベース４００に沿って水平方向に移動する。このテーブル１００の上下面は平行に、かつ特に上面は平面度を高精度に保持する必要がある。
移動機構部３００は、図４に示すようにテーブル１００の下面に設けられているため、この移動機構部３００をテーブル１００に取り付ける場合はテーブル１００を反転させることが通常必要となる。このため、加工物２００が長尺の場合は当然ながらテーブル１００も長尺となり、かなりの重量物となる。また、テーブル１００が一体的構造の場合は作動時における熱上昇が全体に作用し、テーブル１００の平面度を狂わせる問題点が生じ易い。
【０００３】
このため、図３に示すように長尺のテーブル１００は、例えば、テーブル１００Ａとテーブル１００Ｂに２分離される手段が採用される。この場合、図３に示すように移動機構部３００は一方のテーブル１００Ａ側に設けられ、加工物２００はテーブル１００Ｂ側に搭載される。
【０００４】
また、テーブル１００Ａとテーブル１００Ｂとは隙間５００を介して配置されるが、テーブル１００Ａとテーブル１００Ｂを連結するための連結具１が使用される。この連結具１や２部材間の連結構造としては各種のものが採用されているが、公知技術では本発明のような連結具１は見当らない。しかしながら、連結具又は連結方法の従来技術としては、例えば、「特許文献１」，「特許文献２」，「特許文献３」，「特許文献４」，「特許文献５」及び「特許文献６」等が挙げられる。
【先行技術文献】
【特許文献】
【０００５】
【特許文献１】特開２００３−１３９１２７号（図１）
【特許文献２】特開２００１−３２３７６９号（図１）
【特許文献３】特開２０００−２９１８６１号（図１）
【特許文献４】特開平９−５８４６８号（図１）
【特許文献５】実開平６−５３８１６号（図１）
【特許文献６】実開平５−５９９２２号（図１）
【発明の概要】
【発明が解決しようとする課題】
【０００６】
前記の「特許文献１」乃至「特許文献６」には球面座金等の変位吸収手段を用いた連結手段が開示されているが、全体構造として後に説明する本発明とは相異し、かつ変位吸収手段としての効果においても可成り相異するものである。
【０００７】
本発明は、以上の事情に鑑みて発明されたものであり、分離されたテーブル間を確実に連結すると共にテーブルの相対的変位を確実に吸収でき、かつ取り付け作業も比較的容易にできる分離テーブルの連結具を提供することを目的とする。
【課題を解決するための手段】
【０００８】
本発明は、以上の目的を達成するために、請求項１の発明は、隙間を介して分離された平板状のテーブル間を連結するための連結具であって、該連結具は、軸体と、該軸体と夫々のテーブルとの連結部位に設けられる可撓座金とを設けるものからなることを特徴とする。
【０００９】
また、請求項２の発明は、前記可撓座金が、球面座金であることを特徴とする。
【００１０】
また、請求項３の発明は、前記球面座金が、前記軸体と前記テーブルの連結部位の前後に配設され、前記球面座金の取付位置には前記球面座金の着脱を可能とする空間部が形成されることを特徴とする。
【００１１】
また、請求項４の発明は、前記軸体の前記可撓座金に挿入されていない部位に縮寸部が形成されることを特徴とする。
【発明の効果】
【００１２】
本発明の請求項１の分離テーブルの連結具によれば、テーブルの連結部位にはテーブルの変位を吸収する可撓座金がテーブルの連結部位に夫々配置されているため、確実に変位が吸収され分離されたテーブルの平面度と同一面保持性を確保することができる。
【００１３】
また、本発明の請求項２の分離テーブルの連結具によれば、可撓座金が球面座金であり、変位吸収の確実性を図ることができる。
【００１４】
また、本発明の請求項３の分離テーブルの連結具によれば、テーブルの連結部位の前後に球面座金が配置されるため、より一層確実な変位吸収と平面度及び同一面保持性の保持ができ、かつ各テーブルの連結部位には球面座金の着脱を可能とする空間部が形成されているため連結具の取り付け作業を容易に、かつ確実に行うことができる。
【００１５】
また、本発明の請求項４の分離テーブルの連結具によれば、軸体に縮寸部を設けることにより、該軸体を撓み易くすることができ、連結部における可撓効果を発揮させることができる。
【図面の簡単な説明】
【００１６】
【図１】本発明の連結具の構造とその取り付け構造の詳細内容を示す軸断面図。
【図２】本発明の連結具の別の実施例の詳細構造を示す軸断面図。
【図３】分離テーブルの連結部の構造及び加工物や移動機構部とテーブルとの関係を示す模式的正面図。
【図４】従来の一体型のテーブル及び加工物や移動機構部との関係を示す模式的正面図。
【発明を実施するための形態】
【００１７】
以下、本発明の分離テーブルの連結具の実施の形態を図面を参照して詳述する。
【実施例１】
【００１８】
図１に示すように、本発明の連結具１は軸体１ａを備えており、その中央部に太軸部２が形成され、両端部には細軸部３Ａ，３Ｂが一体的に形成される。この細軸部３Ａ，３Ｂは分離されているテーブル１００Ａ及びテーブル１００Ｂに夫々挿入されて固定される。
【００１９】
図１に示すように、テーブル１００Ａはその端部に比較的厚肉の取付面４があり、その後部（図の右側）には空間部５が形成され、この空間部５の上方側には蓋６が開閉可能に設けられている。
一方、テーブル１００Ｂはテーブル１００Ａと対峙する側に空間部の１つである穴７が設けられ、その前部（図の左側）には比較的厚肉の取付面８が形成され、更にその前部には空間部９が形成され、空間部９の上方側には蓋１０が開閉可能に設けられている。
【００２０】
軸体１ａは前記細軸部３Ａをテーブル１００Ａの取付面４に挿入された状態で支持されると共に、太軸部２をテーブル１００Ｂの穴７に挿入し、細軸部３Ｂをテーブル１００Ｂの取付面８に挿入された状態で支持される。
【００２１】
テーブル１００Ａの取付面４に挿入された細軸部３Ａは、取付面４の前後に配設された可撓座金である球面座金１１，１１をダブルナット１２により固定することにより取付面４に固持される。一方、テーブル１００Ｂの取付面８に挿入された細軸部３Ｂは、同様に取付面８の前後に配設された球面座金１１，１１をダブルナット１２により固定されることにより取付面８に固持される。
以上により、軸体１ａはテーブル１００Ａとテーブル１００Ｂ間に球面座金１１により固持される。この球面座金１１はその性質状、変位を球面に沿って緩和して直線性を保持する機能を有するため、テーブル１００Ａとテーブル１００Ｂとの間に相対ズレが生じても元の状態に保持され、テーブル１００Ａとテーブル１００Ｂの上面の平面度が同一面保持性を正しく保持することができる。
【００２２】
また、図１に示すように隙間５００の下方側には略Ｌ形に曲がった金具１３Ａ，１３Ｂがテーブル１００Ａ、１００Ｂにそれぞれ取り付けられ、テーブル１００Ａやテーブル１００Ｂから落下する切粉やゴミが下方側（ガイドベース４００側）へ落下しないように防止している。
【００２３】
球面座金１１，１１の内、テーブル１００Ａの空間部５やテーブル１００Ｂの空間部９側の球面座金１１は通常は取り付けが困難であるが、前記蓋６や蓋１０を開放することにより容易に取り付けることができる。
【００２４】
以上の構造により、テーブル１００Ａ及びテーブル１００Ｂは平面度を保持することができると共に、両者からの熱の伝達が低減し、全体としての精度を保持することができ、かつ前記のように相対変位を連結軸１により確実に吸収することができる。また、連結軸１はテーブル１００Ａやテーブル１００Ｂから容易に取り外しできるため、テーブル１００Ａへの移動機構部３００の反転取り付け作業が容易にでき、組立性の向上を図ることができる。
【実施例２】
【００２５】
図２に示すように、連結軸１の軸体１ａの太軸部２には縮寸部２ａが形成される。この縮寸部２ａは図示のような形状に限定されず、軸体１ａの可撓効果を図ることのできる任意の形状のものでもよい。勿論、軸体１ａの交換は容易にできるため、必要に応じて任意の形状の縮寸部を有する軸体を採用することができる。なお、前記実施例１と同じ構成部材は、前記と同じ符号を付けて詳しい説明は省略する。
【００２６】
本発明は、以上の構造からなるが、その内容は以上のものに限定するものではなく、同一技術的範疇のものが適用されることは勿論である。
【産業上の利用可能性】
【００２７】
本発明の連結具は、高精度を保持する分離テーブルの連結具として優れたものであるが、相対変位を確実に吸収する必要のある分離部材間の連結具として広く適用することが可能であり、その利用範囲は極めて広い。
【符号の説明】
【００２８】
１        連結具
１ａ      軸体
２        太軸部
２ａ      縮寸部
３Ａ、３Ｂ細軸部
４        取付面
５        空間部
６        蓋
７        穴
８        取付面
９        空間部
１０      蓋
１１      球面座金
１２      ダブルナット
１３Ａ、１３Ｂ  金具
１００    テーブル（長尺）
１００Ａ  テーブル
１００Ｂ  テーブル
２００    加工物
３００    移動機構部
４００    ガイドベース
５００    隙間
【図１】
2010174974.tif 000003
【図２】
2010174974.tif 000004
【図３】
2010174974.tif 000005
【図４】
2010174974.tif 000006